(57)【要約】【課題】待ち受け状態におけるディスプレイ表示を自由に設定することが可能なデジタル情報処理装置を提供することを目的とする。【解決手段】情報表示可能なデジタル情報処理装置であって、表示データ情報４０４の表示順序（表示Ｎｏ（４０１）））を設定する順序設定手段と、表示データ情報４０４の表示時間（表示時間情報４０２）を設定する時間設定手段と、表示データ情報４０４の表示条件（表示許可条件情報４０３）を設定する条件設定手段と、入力を待つ待ち受け状態において、表示データ情報４０４のうち、前記表示条件を満たす表示データ情報４０４を前記表示順序で、前記表示時間、表示するよう制御する制御手段とを備える。【選択図】　図４
2004023562.tif 000002
【特許請求の範囲】
【請求項１】
情報表示可能なデジタル情報処理装置であって、
表示する情報の表示順序を設定する順序設定手段と、
表示する情報の表示時間を設定する時間設定手段と、
表示する情報の表示条件を設定する条件設定手段と、
入力を待つ待ち受け状態において、前記表示する情報のうち、前記表示条件を満たす情報を前記表示順序で、前記表示時間、表示するよう制御する制御手段と
を備えることを特徴とするデジタル情報処理装置。
【請求項２】
前記設定された表示順序、表示時間、表示条件ならびに前記表示する情報は、１つのデータ構造として関連付けて格納され、前記制御手段は、該データ構造に基づいて表示を制御することを特徴とする請求項１に記載のデジタル情報処理装置。
【請求項３】
前記表示する情報は、画像データを含むことを特徴とする請求項１に記載のデジタル情報処理装置。
【請求項４】
前記表示条件は、前記表示する情報を表示する際の時間制限および表示回数制限であることを特徴とする請求項１に記載のデジタル情報処理装置。
【請求項５】
情報表示可能なファクシミリ装置であって、
表示する情報の表示順序を設定する順序設定手段と、
表示する情報の表示時間を設定する時間設定手段と、
表示する情報の表示条件を設定する条件設定手段と、
入力を待つ待ち受け状態において、前記表示する情報のうち、前記表示条件を満たす情報を前記表示順序で、前記表示時間、表示するよう制御する制御手段と
を備えることを特徴とするファクシミリ装置。
【請求項６】
前記待ち受け状態とは、キー入力、ハンドセットのＯＮ／ＯＦＦフック、ＣＩ着信のいずれも検知されない状態であることを特徴とする請求項５に記載のファクシミリ装置。
【請求項７】
情報表示可能なデジタル情報処理装置における処理方法であって、
表示する情報の表示順序を設定する順序設定工程と、
表示する情報の表示時間を設定する時間設定工程と、
表示する情報の表示条件を設定する条件設定工程と、
入力を待つ待ち受け状態において、前記表示する情報のうち、前記表示条件を満たす情報を前記表示順序で、前記表示時間、表示するよう制御する制御工程と
を備えることを特徴とするデジタル情報処理装置における処理方法。
【請求項８】
前記設定された表示順序、表示時間、表示条件ならびに前記表示する情報は、１つのデータ構造として関連付けて格納され、前記制御工程は、該データ構造に基づいて表示を制御することを特徴とする請求項７に記載のデジタル情報処理装置における処理方法。
【請求項９】
前記表示する情報は、画像データを含むことを特徴とする請求項７に記載のデジタル情報処理装置における処理方法。
【請求項１０】
前記表示条件は、前記表示する情報を表示する際の時間制限および表示回数制限であることを特徴とする請求項７に記載のデジタル情報処理装置における処理方法。
【請求項１１】
情報表示可能なファクシミリ装置における処理方法であって、
表示する情報の表示順序を設定する順序設定工程と、
表示する情報の表示時間を設定する時間設定工程と、
表示する情報の表示条件を設定する条件設定工程と、
入力を待つ待ち受け状態において、前記表示する情報のうち、前記表示条件を満たす情報を前記表示順序で、前記表示時間、表示するよう制御する制御工程と
を備えることを特徴とするファクシミリ装置における処理方法。
【請求項１２】
前記待ち受け状態とは、キー入力、ハンドセットのＯＮ／ＯＦＦフック、ＣＩ着信のいずれも検知されない状態であることを特徴とする請求項１１に記載のファクシミリ装置における処理方法。
【請求項１３】
請求項７乃至請求項１２のいずれか１つに記載の処理方法をコンピュータによって実現させるための制御プログラムを格納した記憶媒体。
【請求項１４】
請求項７乃至請求項１２のいずれか１つに記載の処理方法をコンピュータによって実現させるための制御プログラム。
【発明の詳細な説明】
【０００１】
【発明の属する技術分野】
本発明は、ファクシミリ装置をはじめとする、ディスプレイを有するデジタル情報処理装置に関する。
【０００２】
【従来の技術】
従来のファクシミリ装置は、キー入力等の操作に伴う処理や、データの送受信に伴う処理等が行われていない、いわゆる待ち受け状態において、ディスプレイ上に、例えば時計表示のような待ち受け表示を行うことが可能である。また、「留守録１件あり」等の、ファクシミリ装置内部の情報を表示することも可能である。
【０００３】
【発明が解決しようとする課題】
しかしながら、ディスプレイが、大型化、カラー化するに従って、より高度かつ複雑な内容を表示させることが可能となりつつある一方で、これまでのファクシミリ装置の待ち受け表示は、上述のように時計表示やファクシミリ装置が有する内部情報（留守録回数のカウント値）等、あらかじめ決められた情報を、所定のパターン（表示順序、表示時間等の表示）に従って表示するにとどまり、目的にかなった表示をユーザが自由に設定することができなかった。
【０００４】
本発明は、上記課題を鑑みてなされたものであり、待ち受け状態におけるディスプレイ表示を自由に設定することが可能なデジタル情報処理装置を提供することを目的とする。
【０００５】
【課題を解決するための手段】
上記の目的を達成するために本発明に係るデジタル情報処理装置は以下のような構成を備える。即ち、
情報表示可能なデジタル情報処理装置であって、
表示する情報の表示順序を設定する順序設定手段と、
表示する情報の表示時間を設定する時間設定手段と、
表示する情報の表示条件を設定する条件設定手段と、
入力を待つ待ち受け状態において、前記表示する情報のうち、前記表示条件を満たす情報を前記表示順序で、前記表示時間、表示するよう制御する制御手段とを備える。
【０００６】
【発明の実施の形態】
以下、図面を参照して、本発明の一実施の形態にかかるファクシミリ装置について詳細に説明する。なお、本発明にかかるデジタル情報処理装置としては、他に携帯端末や複写機、プリンタ等、ディスプレイを有する機器すべてを含むものとし、特にファクシミリ装置に限るものではない。
【０００７】
＜装置のシステム構成＞
図１は、ファクシミリ装置１００の構成を示したブロック図である。
【０００８】
同図において、１０１は中央制御部（ＣＰＵ）、１０２は通信や印刷をはじめとするファクシミリ装置の動作を制御するプログラムを格納したＲＯＭ、１０３はＲＡＭである。１１４はＳＲＡＭで装置電源ＯＦＦ時に内容を保持可能な不揮発性メモリである。１０４はプリンタ画像処理部、１０５はカラープリンタである。
【０００９】
プリンタ画像処理部１０４においては、プリンタの解像度３６０ｄｐｉに変換する処理を行い、印刷データをカラープリンタに送信するものである。カラープリンタ１０５においては、受信したファクシミリ画像やコピー画像の出力を行う機能を有するものである。
【００１０】
１０６はオペレーションパネルであり、ダイヤル操作を行ったり各種設定を行ったりするキー入力部と各種データを表示する液晶表示部（ディスプレイ）から構成されている。１０７はスキャナインターフェイスであり、ハンドスキャナ２００を装着するコネクタとデータ送受信レジスタから構成されている。
【００１１】
１０９はクロスポイントスイッチであり、ＣＰＵ１０１の制御によってアナログ信号経路の接続切り替えを行う。１１０はＦＡＸモデムであり、ＦＡＸ信号受信やスキャナで読み取った画像をアナログ信号に変調する機能を有する。１１１はハンドセット、１１２はスピーカ、１０８は通信回線９００とのインターフェイスであるＮＣＵである。
【００１２】
＜装置概観＞
図２に本発明の一実施の形態にかかるファクシミリ装置の概観図を示す。
【００１３】
図２において、２０１は用紙ガイドであり、記録紙の幅にあわせてセットするガイド機構を有する。
【００１４】
２０２は用紙入り口であり、ここから記録紙が差し込まれる。２０３は原稿ガイドであり、原稿の幅にあわせてセットされる。ガイドには位置センサが付加されておりセット位置により原稿サイズを検知する。
【００１５】
２０４は原稿入り口であり、ここから原稿が差し込まれる。２０５は上カバーであり、搬送されて装置内に滞留した原稿・記録紙を取り出す時や、カラープリンタ１０５のカートリッジを交換する時に上方に開けることができる。上カバー２０５にはオペレーションパネルとハンドセット台が含まれる。
【００１６】
２０６はハンドセットであり、通話時に使用される。２０７はコードレスハンドスキャナ部であり、上カバー２０５を開けると本体部から取り出すことができる。２０８はオペレーションパネルであり、図３を用いて詳述する。
【００１７】
２０９は原稿排出口であり、本体でシート読みされた原稿を排出する。２１０は用紙排出口であり、カラープリンタ１０５で印画された記録紙を排出する。図３に図２のオペレーションパネル２０８の詳細を示す。
【００１８】
図３において、３０１は機能ボタンであり、設定や登録を始めるときに用いる。３０２は録音ボタンであり、音声メモを録音するときに用いる。３０３は再生ボタンであり、留守録、音声メモを聞くときに用いる。３０４は消去ボタンであり、留守録や音声メモ、ファックスをメモリから消すときに用いる。３０５は電話帳／セットボタンであり、電話帳でダイヤルするとき、設定を確定するときに用いる。
【００１９】
３０６は左／右ボタンであり、機能項目を選択するとき、文字を入れるときに用いる。３０７は上／下ボタンであり、電話帳を検索するとき、機能項目を表示するとき、音量を調整するときに用いる。
【００２０】
３０９はスピーカーホンボタンであり、受話器を取らずに話すときに用いる。３１０はマイクであり、受話器を取らずに話すときにここに向かって話す。３１１はストップボタンであり、ファックス送受信、コピー、再生、設定などの動作を止めるとき、操作を途中で止めるときに用いる。
【００２１】
３１２はコピーボタンであり、コピーを実行するときに用いる。３１３は画質ボタンであり、小さい文字や写真を送信するときに用いる。３１４は受信／プリントボタンであり、ファックスを受信したりプリントするときに用いる。３１５は送信ボタンであり、ファックスを送信するときに用いる。３１６はカラー／白黒ボタンであり、コピーやファックスのカラーモードを切り替えるときに用いる。３１７はカラーランプであり、カラーモードを選んだときに点灯する。
【００２２】
＜ディスプレイ装置＞
３１８はディスプレイであり、ファクシミリ装置の現在の状態や登録メニューなどが表示される。
【００２３】
本発明は複数パターン存在する表示データ個々に、表示を継続させる時間や表示する／しないなどのルールを示す情報を格納した「表示データ構造」を持たせ、それを「表示制御部（ＲＯＭに格納されたプログラムの一機能）」が制御することで、待ち受け状態におけるディスプレイの表示を行うものである。
【００２４】
つまり、従来のファクシミリ装置は予め決められた表示データから、ユーザが選択した表示データを所定のパターンで表示するだけであり、新たに取得した画像データ等を待ち受け状態における表示データとして追加することができなかった（所定のパターンを記述したプログラムの変更等を伴うものであり、ユーザが行うことができなかった）。
【００２５】
しかし、本発明によれば、表示データそれぞれに所定のルールを付加するだけで待ち受け状態におけるディスプレイ表示に当該表示データを追加することができるため、待ち受け状態における表示設定の自由度を向上させることができる。
【００２６】
以下に「表示データ構造」と「表示制御部」について、図を用いながら説明する。
【００２７】
＜表示データ構造＞
ここで、本発明の主たる特徴を示す表示データ構造について図４を用いながら説明する。
【００２８】
待ち受け中の表示には、例えば、「時計表示」や「伝言メモ表示」「留守録件数表示」「ダウンロードしたニュース」「画像」など、通信回線を介して取得した文字データおよび画像データを含めて、複数種類の表示が考えられる。しかしながら、それらを一度に画面上に示すことは情報の種類が増えれば増えるほど困難である。本発明では、それらに通し番号を割り振り、それを決められた制御に従って表示を順次切り換えようとするものである。その切り換える表示の個別を識別するために本実施形態では表示Ｎｏ（表示番号）（４０１）を設けた。表示Ｎｏ（４０１）は、図４で示すようなデータ構造となっている。
【００２９】
表示Ｎｏ（４０１）には数値が入り、この数値順に従って表示制御部は表示順序を制御する（なお、後で述べる表示許可条件情報（４０３）の参照結果によっては、表示する順番が回ってきても表示を実行するとは限らない）。表示時間情報（４０２）とは、その表示Ｎｏ（４０１）の表示を行う場合に、どれくらいの時間表示を続けるのかを示すものである。
【００３０】
表示許可条件情報（４０３）とは、表示する順番が回ってきた時に、実際にその番号の表示を行うか／否かを判断するための表示条件を示すものである。本実施形態では、その条件として回数制限と時間制限を設けた。回数制限とは、表示する回数を制限するもので、例えば制限回数が１００回としたら、表示制御部では、その表示Ｎｏの表示を１００回までは実行するが、それ以降に表示する順番が回ってきても表示を実行しないように制御する。
【００３１】
時間制限とは、表示する時間を制限するもので、例えば、制限時間を１２：００〜２３：５９としたら、表示制御部では、現在の時刻を参照して、現在時刻が、１２：００〜２３：５９の間にある時は表示を実行するが、現在時刻が０：００〜１１：５９の間にあるときは表示を実行しないよう制御する。なお、時間とは年数、月数、日数、時刻（時、分、秒）を意味する。従って、ある特定の日付のみ表示を実行するということも可能である。
【００３２】
表示データ情報（４０４）とは、実際に表示を行うデータを示すものである。データとは、文字データ（文字コードデータ）と画像データ（ビットマップデータ）のどちらかを意味する。例えば、そのデータは時刻の情報（文字でも画像でも良い）であったり、伝言メモであったりする。
【００３３】
なお、表示データ構造を構成する表示Ｎｏ．（４０１）、表示時間情報（４０２）、表示許可条件情報（４０３）、表示データ情報（４０４）の設定は、オペレーションパネル１０６を介して設定されるものとする。
【００３４】
また、表示データ情報（４０４）は、表示Ｎｏ．（４０１）、表示時間情報（４０２）、表示許可条件情報（４０３）を添付した形で格納されていても良いし、別の場所に格納され、表示データ構造中には表示データの格納場所を設定するようにしてもよい。
【００３５】
以上を踏まえて、図５に表示データ構造例を示す。
【００３６】
表示Ｎｏ．１は、通話情報の表示である（５０１）。これは通話時間や通話料金などが文字コードデータとして表示される。表示時間は４秒で、回数制限が１回であるので、この表示は１回だけ４秒間表示されたら、その後は表示されないことを示す。
【００３７】
表示Ｎｏ．２は、ニュース情報の表示である（５０２）。これは天気予報やニュース速報などがダウンロードされたあと、文字コードデータとして表示される。表示時間は５秒で、時間制限は２４時間以内であるので、この表示は最初に表示された後２４時間は表示されるが、それ以降は表示されないことを示す。
【００３８】
表示Ｎｏ．３と表示Ｎｏ．４は、画像情報の表示である（５０３）（５０４）。これは例えばアニメキャラクターなどが画像ビットマップデータとして表示される。表示時間は２秒で、表示制限はない。画像は表示Ｎｏを続けることで、動画のようなアニメーション効果を得ることができる。
【００３９】
表示Ｎｏ．５は、文字情報の表示である（５０５）。これは期間を特定した文字情報（例えば夏休み情報）などが文字情報、あるいは画像情報として表示される。表示時間は４秒で、時間制限が２０００／８／３１／２３：５９までとなっている。従って、現在の時刻と参照して、この時刻を越えると表示はされないことを示す。
【００４０】
表示Ｎｏ．６は文字伝言メッセージの表示である（５０６）。これは例えば家族への伝言などが文字コード情報として表示される。表示時間は３秒で、回数制限は１００回であるので、この表示は１００回表示されたら、次からは表示を行わないことを示す。
【００４１】
次に実際に表示される表示例を図６に示す。
【００４２】
時刻情報１はいわゆる時計、時刻表示２は月カレンダー、時刻情報３は週カレンダー、装置情報１はファクシミリ装置のインクの残量とメモリデータの残量、装置情報２は留守録件数やメールなどユーザが受信したもの、画像情報１は固定のビットマップイメージ、文字情報１はユーザが入力した伝言メモ、文字情報２はダウンロードされたニュースである。
【００４３】
本発明によれば、このような多岐にわたる複数の表示データを円滑に表示することができる。
【００４４】
＜表示制御部＞
次に、これまでに述べた表示データを制御する表示制御部の仕組みを図７、図８、図９、図１０、図１１のフローチャートを用いて説明する。
【００４５】
まず、表示が待ち受け状態であるか否かをチェックする必要があるが、その手段は公知の事実である。しかし、図７のフローチャートを用いて一通り説明しておく。
【００４６】
まず、本実施形態のファクシミリ装置は電源投入後に初期化が実行される（ステップＳ７０１）。初期化では、表示Ｎｏが１にカウントクリアされる。なお、Ｎは表示Ｎｏで、ＴＩＭＥＲは現在行われている表示のタイマーであり、表示不許可フラグは、表示を実行するか否かを見るフラグである。
【００４７】
初期化の後、極反検知（ステップＳ７０２）とＣＩ着信検知（ステップＳ７０３）、オフフック検知（ステップＳ７０４）、キータッチ検知（ステップＳ７０５）がされる。ここでいずれか一つでも検知されると、検知の内容に合ったりアクションがなされ、状態遷移先表示がされる（ステップＳ７０６）。状態遷移先表示は、状態遷移が終了するまで続けられ、状態遷移が終了すると（ステップＳ７０７）、初期化（ステップＳ７０８）された後に、再び極反検知、ＣＩ着信検知、オフフック検知、キータッチ検知がされる。なお、ここまでの動作は公知の動作である。
【００４８】
極反検知、ＣＩ検知、オフフック検知、キータッチ検知がいずれも検知されないと、はじめて表示状態は「待ち受け中」と判断され、待ち受け表示が始まる（ステップＳ７０９）。
【００４９】
図８の待ち受け表示のフローチャートを用いて、説明を続ける。ここからは、本発明にかかる部分である。
【００５０】
図７で待ち受け中である時のみ図８のフローチャートに従って表示の制御が行われる。
【００５１】
まず、Ｎは図７で初期化され１であったので、表示Ｎｏ．１から表示制御が始まる。
【００５２】
最初に表示Ｎｏ．Ｎの表示許可チェックがされる（ステップＳ８００）。ここではその表示Ｎｏ．における表示を実行するか否かの判断がされるのだが、詳細は後述の図９に示す。ステップＳ８００で表示許可された場合、その表示Ｎｏ．の表示データを入手し、ディスプレイに表示する処理を行う（ステップＳ８０１）。
【００５３】
次に、ＴＩＭＥＲの値を減算する（ステップＳ８０２）。ＴＩＭＥＲには初期化の際にＮｏ．１の表示データ構造体の表示時間情報の値が入っている。続けて減算されたＴＩＭＥＲの値がゼロであるかがチェックされる（ステップＳ８０３）。ＴＩＭＥＲの値がゼロでなければ、そのまま図８のフローを終了し、図７のフローに従って、待ち受け中であるならば再び図８の▲１▼から処理が進む。ＴＩＭＥＲの値がゼロにならない限り、本動作を繰り返すため、同じ表示Ｎｏ．が引き続き表示されることとなる。
【００５４】
しかし、ＴＩＭＥＲの値がゼロであると、次の表示Ｎｏの表示を行うための動作に入る。まずステップＳ８０４でＮの値がＭＡＸであるかチェックされる。ＭＡＸとは表示Ｎｏ．の最大番号で、初期化の際に値が入力される。もしここで、Ｎ＝ＭＡＸであれば、表示は最後の表示Ｎｏ．まで処理が進んだので、再び表示Ｎｏ．１から処理を行うために、初期化される（ステップＳ８０６）。ＮがＭＡＸでなければ、次に表示すべき表示Ｎｏ．が存在するので、Ｎを加算した後（ステップＳ８０５）、ＴＩＭＥＲに次の表示Ｎｏ．の表示時間情報の値を入力する（ステップＳ８０７）。
【００５５】
以上の仕組みから、任意の表示Ｎｏ．はそのデータ構造体が持つ表示時間情報の時間の間だけ、表示を続けることができる。表示時間が経過したら、次の表示Ｎｏ．の表示処理を進める。表示Ｎｏ．が最大であったら、初期化することにより最初の表示Ｎｏ．１から再び表示処理がされる。
【００５６】
次に、図９を用いて、表示許可チェックを行う部分（ステップＳ８００）について詳しく説明する。先に述べたとおり、ここでは、実際に表示を実行するか否かの判断を下す制御を行うためのフローチャートであり、ここで表示不許可フラグがＯＮになると、たとえ表示Ｎｏ．が表示できる順番がまわってきたとしても表示を行えず、スキップされてしまう。
【００５７】
表示を許可するか否かを判断する基準は先に説明したとおり、回数制限と時間制限によるものがある。
【００５８】
表示許可フラグは、ステップＳ９０１の回数制限チェックとステップＳ９０２の時間制限チェックによってＯＮ／ＯＦＦが決定される。ステップＳ９０３で、表示不許可フラグをチェックし、ＯＮであれば表示不許可、ＯＦＦであれば表示許可であるという結果が、図８のフローにアウトプットされる。
【００５９】
図１０に回数制限チェックのフローを示す。ステップＳ１００１で、回数制限が設けられているか否かがチェックされる。回数制限が設けられていなければ、何もしないでフローを抜ける。回数制限が設けられていれば、Ｃの値（回数制限のカウンタ値）をチェックする（ステップＳ１００２）。Ｃがゼロであれば、制限する回数を表示したことになるので、表示不許可フラグをＯＮにする（ステップＳ１００４）。Ｃがゼロでなければ、ＴＩＭＥＲの値がゼロであるかをチェックする（ステップＳ１００３）。もしＴＩＭＥＲがゼロでなければ、この表示は表示中であることを示すため、カウンタＣの減算は行われない。もしＴＩＭＥＲがゼロであったら、表示時間が終了したことを示すので、Ｃの値を減算する（ステップＳ１００５）。
【００６０】
図１１に時間制限チェックのフローを示す。
【００６１】
ステップＳ１１０１で、時間制限が設けられているか否かがチェックされる。回数制限が設けられていなければ、何もしないでフローを抜ける。時間制限が設けられていれば、Ｎ（現在時刻）とＳ（許可開始時刻）とＥ（許可終了時刻）とを参照し、許可する時間外であれば、ステップＳ１１０２かステップＳ１１０３でＮｏと判別され、不許可フラグがＯＮになる（ステップＳ１１０４、Ｓ１１０５）。なお、あらかじめ表示許可する時間が決められている場合は、このフローでよいが、「○○時間後まで許可する」というような時間制限であった場合は、あらかじめその表示Ｎｏが作成された時刻からその○○時間を加え、許可終了時刻を求めることで、上記フローに適応する。
【００６２】
以上のように、ユーザが表示データ構造を用いて設定を行えば、ユーザの目的に見合った種々のデータ（通信回線を使って取得した画像データ等も含む）を待ち受け表示に利用することが可能となる。さらに、その設定が指定する表示内容が複数パターンある場合でも順次切り替えることで、ユーザの目的にかなった表示を行うことが可能となる。また、ファクシミリ装置が表示する情報内容に情報の有効期限などがあった場合、有効期限を過ぎたら表示を行わないようにするなど、ユーザの手間を最小限に抑えつつ、多目的な表示情報を適切に制御することが可能となる。
【００６３】
＜実施例１＞
以上の説明を踏まえ、図１２を用いて実施例１を説明する。実施例１は、通話後にハンドセットを戻した状態からの表示例である。
【００６４】
実施例１における表示パターンは２種類であり、ＭＡＸ＝２である（１２０１）。また、表示Ｎｏ．１のデータ構造の内容は、表示時間５秒、時間制限なし、回数制限１回、文字情報（通話記録）であり（１２０２）、表示Ｎｏ．２のデータ構造の内容は、表示時間０．１秒、時間制限なし、回数制限なし、文字情報（時刻情報）である（１２０３）。
【００６５】
図７の設定表示チャートより、まず表示Ｎｏ（Ｎ）が初期化（Ｎ＝１）される（ステップＳ７０１）。また、待ち受け状態にあるので、（ステップＳ７０２〜Ｓ７０５）の検知はされず、図８のフローチャートで、表示Ｎｏ．１の表示許可がチェックされる。時間制限はないが回数制限があるが、ＴＩＭＥＲの値がゼロではないので、回数制限のカウンタ値は減算されずに、表示Ｎｏ．１の表示は実行される（１２０５）。ＴＩＭＥＲが減算（本実施例では減算する値を０．１秒とした）されるが、ＴＩＭＥＲの値は４．０−０．１＝３．９なので、ゼロではなく、再び表示許可チェックがされ、表示が実行される。それを繰り返し、ＴＩＭＥＲがゼロになると、次回の回数制限チェックで、カウンタが減算され、ゼロとなる。その後、表示が行われるが、次回に表示許可チェックがされたとき、カウンタはゼロなので、表示不許可となる。Ｎ＝１なので、Ｎは加算され、次回は表示Ｎｏ．２が表示される。
【００６６】
表示Ｎｏ．２は回数制限も時間制限もなく、表示Ｎｏ．１は回数制限により表示不許可となっているので、これ移行は、すべて表示Ｎｏ．２が表示される。また、ＴＩＭＥＲの減算値は０．１秒であることから、表示Ｎｏ．２の時刻は０．１秒ごとに更新されることになる（１２０６〜１２０８）。
【００６７】
＜実施例２＞
次に、さらに複雑な例を示す。実施例２は、
・通話後の通話情報を、ハンドセットＯＮ後に５秒間、一度だけ表示させる。
・伝言メモを４秒間（伝言メモが削除されるまで）表示させる。
・ニュース▲１▼を初めて表示した時間から２４時間まで３秒間表示させる。
・ニュース▲２▼を次の２３：５９まで３秒間表示させる。
の条件で、待ち受け表示を行うものである。
【００６８】
表示Ｎｏ．１（１３０２）は、実施例１と同様、回数制限が１に設定されているので、ハンドセットを戻した後に一度だけ表示される。
【００６９】
表示Ｎｏ．２（１３０３）は、回数制限、時間制限が共にないので、データがなくなるまで、順番が回ってきたら表示がされる。
【００７０】
表示Ｎｏ．３（１３０４）は回数制限はないが時間制限がある。このため、図１３で、表示許可開始時間と、現在の時間とが比較される。本実施例では、Ｓの値は０であるので、次に現在時刻と許可終了時刻との比較がされる。２４時間後の時刻がセットされているので、その時刻以降になるまで、表示不許可フラグはＯＮにならない。従って、表示Ｎｏ．３は、２４時間後になるまでは順番が回ってきたら、３秒間の表示を行う。
【００７１】
表示Ｎｏ．４（１３０５）は表示Ｎｏ．３と同様に時間制限のみが設定されているが、こちらは終了の時刻が２３：５９となっているので、その時間までは順番が回ってきた時に表示を行う。
【００７２】
以上のように、実施例２ではハンドセットを戻した後、通話情報が表示され（１３０７）、その後、伝言メモ（１３０８）、ニュース▲１▼（１３０９）、ニュース▲２▼（１３１０）の表示がされる。次のターンからは、伝言メモ（１３０８）、ニュース▲１▼（１３０９）、ニュース▲２▼（１３１０）が順番に表示され、２４時間が経過すると、ニュース▲１▼（１３０９）は表示されなくなり、２３：５９を過ぎると、ニュース▲２▼（１３１０）も表示されなくなる。それ以降は、伝言メモ（１３０８）が消去されるまで、伝言メモが表示されつづける。
【００７３】
ニュースのように賞味期限のある情報は、時間制限を設けることで、効果的に表示を行うことができる。また、ハンドセットを戻した後の通話記録表示などは、毎回、一度だけ表示される。
【００７４】
【他の実施形態】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００７５】
この場合、記憶媒体から読出されたプログラムコード自体が前述した実施形態の機能を実現することになり、そのプログラムコードを記憶した記憶媒体は本発明を構成することになる。
【００７６】
プログラムコードを供給するための記憶媒体としては、例えば、フロッピ（商標登録）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７９】
【発明の効果】
以上説明したように本発明によれば、待ち受け状態におけるディスプレイ表示を自由に設定することが可能となる。
【図面の簡単な説明】
【図１】本発明の一実施形態にかかるファクシミリ装置の基本ブロック図である。
【図２】本発明の一実施形態にかかるファクシミリ装置の概観を示す図である。
【図３】本発明の一実施形態にかかるファクシミリ装置の本体部操作パネルを示す図である。
【図４】本発明の一実施形態にかかるファクシミリ装置の表示パターンが有するデータ構造を示す図である。
【図５】本発明の一実施形態にかかるファクシミリ装置において生成されたデータ構造例を示す図である。
【図６】本発明の一実施形態にかかるファクシミリ装置のディスプレイにおける表示例を示す図である。
【図７】本発明の一実施形態にかかるファクシミリ装置における表示処理のフローチャートである。
【図８】本発明の一実施形態にかかるファクシミリ装置における待ち受け表示に限ったフローチャートである。
【図９】本発明の一実施形態にかかるファクシミリ装置における表示許可チェックのためのフローチャートである。
【図１０】本発明の一実施形態にかかるファクシミリ装置における表示回数制限チェックのためのフローチャートである。
【図１１】本発明の一実施形態にかかるファクシミリ装置における表示時間制限チェックのためのフローチャートである。
【図１２】本発明の一実施形態にかかるファクシミリ装置におけるデータ構造の設定例と、そのときのディスプレイの表示を示す図である。
【図１３】本発明の一実施形態にかかるファクシミリ装置におけるデータ構造の設定例と、そのときのディスプレイの表示を示す図である。
【符号の説明】
１００　ファクシミリ装置
１１１　ＣＰＵ
１２１　ＮＣＵ
１２３　クロスポイントＳＷ
１２７　モジュラーコネクタ
１２８　モジュラージャック
【図１】
2004023562.tif 000003
【図２】
2004023562.tif 000004
【図３】
2004023562.tif 000005
【図４】
2004023562.tif 000006
【図５】
2004023562.tif 000007
【図６】
2004023562.tif 000008
【図７】
2004023562.tif 000009
【図８】
2004023562.tif 000010
【図９】
2004023562.tif 000011
【図１０】
2004023562.tif 000012
【図１１】
2004023562.tif 000013
【図１２】
2004023562.tif 000014
【図１３】
2004023562.tif 000015